(57)【要約】【課題】作業性が良く、調律を簡易、且つ、迅速に行うことができる上に、調律精度を高めることができる調律器を提供する。【解決手段】調律器１０は、超磁歪部材を備え、且つ、一端が第１ヨーク１４に固定された略棒状体の超磁歪ロッド１６と、この超磁歪ロッド１６を軸方向に振動させるための駆動コイル１８と、この駆動コイル１８を駆動する電気信号を供給するための信号供給部２６と、を有してなり、信号供給部２６は、異なる基本周波数で振動する複数の弦を備えた弦楽器の少なくとも１本の弦の基本周波数によって電気信号を供給可能とされ、弦楽器本体を基本周波数で振動させることによって弦を共振可能に構成されている。【選択図】図１
2005234365.tif 000002
【特許請求の範囲】
【請求項１】
磁歪部材を備え、且つ、一端が質量部材に固定された略棒状体の磁歪ロッドと、該磁歪ロッドを軸方向に振動させるための駆動コイルと、該駆動コイルに電気信号を供給するための信号供給部と、を有してなり、前記信号供給部は、異なる基本周波数で振動する複数の弦を備えた弦楽器の少なくとも１本の弦の基本周波数によって前記電気信号を供給可能とされ、前記弦楽器本体を前記基本周波数で振動させることによって前記弦を共振可能に構成されていることを特徴とする調律器。
【請求項２】
請求項１において、
前記信号供給部における基本周波数は、６種類の基本周波数のギター開放弦の少なくとも１種類の開放弦の基本周波数を有してなることを特徴とする調律器。
【請求項３】
請求項１において、
前記信号供給部における基本周波数は、４種類の基本周波数のバイオリン開放弦の少なくとも１種類の開放弦の基本周波数を有してなることを特徴とする調律器。
【請求項４】
請求項１乃至３のいずれかにおいて、
前記信号供給部は、複数種類の前記基本周波数から１つの前記基本周波数を選択可能に構成されていることを特徴とする調律器。
【請求項５】
請求項４において、
前記信号供給部は、前記１つの基本周波数を前記複数種類の基本周波数から昇順又は降順に所定の周期で選択し、該選択された基本周波数に対応する前記電気信号を順次供給するように構成されていることを特徴とする調律器。
【請求項６】
請求項１乃至５のいずれかにおいて、
前記弦楽器本体に対して前記磁歪ロッドを略垂直方向に固定するための固定具を備えたことを特徴とする調律器。
【請求項７】
請求項１乃至６のいずれかにおいて、
前記磁歪ロッドの軸方向に予荷重を印加するための予荷重ばねを備えたことを特徴とする調律器。
【請求項８】
請求項１乃至７のいずれかにおいて、
前記磁歪部材は、超磁歪素子を材料とする超磁歪部材からなることを特徴とする調律器。
【発明の詳細な説明】
【技術分野】
【０００１】
本発明は、磁歪部材を用いた調律器に関する。
【背景技術】
【０００２】
従来、ギターやバイオリン等の弦楽器の各弦を規定の音程に調律するための調律器が広く知られている。
【０００３】
このような従来公知の調律器としては、音叉のように弦楽器から発音される音を確認しながら調律を行うものや、チューニングメータのように弦をピッキング（弾弦）し、弦振動の周波数と各弦の基本周波数との比較結果を表示するようにしたもの等が提案されている（例えば、特許文献１及び２参照。）。
【０００４】
【特許文献１】実公平７−１５０３０号公報
【特許文献２】特開平５−６６７６５号公報
【発明の開示】
【発明が解決しようとする課題】
【０００５】
しかしながら、これら従来公知の調律器においては、弦振動の周波数と基本周波数とのずれを、調律者が耳で確認したり、表示装置を用いて比較したりする必要があったため、作業性が悪く、調律に時間がかかるといった問題点がある上に、調律の精度向上には限界があった。
【０００６】
本発明は、このような問題点を解決するためになされたものであって、作業性が良く、調律を簡易、且つ、迅速に行うことができる上に、調律精度を高めることができる調律器を提供することを目的とする。
【課題を解決するための手段】
【０００７】
本発明の発明者は、鋭意研究の結果、作業性が良く、調律を簡易、且つ、迅速に行うことができる上に、調律精度を高めることができる調律器を見出した。
【０００８】
即ち、次のような本発明により、上記目的を達成することができる。
【０００９】
（１）磁歪部材を備え、且つ、一端が質量部材に固定された略棒状体の磁歪ロッドと、該磁歪ロッドを軸方向に振動させるための駆動コイルと、該駆動コイルに電気信号を供給するための信号供給部と、を有してなり、前記信号供給部は、異なる基本周波数で振動する複数の弦を備えた弦楽器の少なくとも１本の弦の基本周波数によって前記電気信号を供給可能とされ、前記弦楽器本体を前記基本周波数で振動させることによって前記弦を共振可能に構成されていることを特徴とする調律器。
【００１０】
（２）前記信号供給部における基本周波数は、６種類の基本周波数のギター開放弦の少なくとも１種類の開放弦の基本周波数を有してなることを特徴とする前記（１）記載の調律器。
【００１１】
（３）前記信号供給部における基本周波数は、４種類の基本周波数のバイオリン開放弦の少なくとも１種類の開放弦の基本周波数を有してなることを特徴とする前記（１）記載の調律器。
【００１２】
（４）前記信号供給部は、複数種類の前記基本周波数から１つの前記基本周波数を選択可能に構成されていることを特徴とする前記（１）乃至（３）のいずれかに記載の調律器。
【００１３】
（５）前記信号供給部は、前記１つの基本周波数を前記複数種類の基本周波数から昇順又は降順に所定の周期で選択し、該選択された基本周波数に対応する前記電気信号を順次供給するように構成されていることを特徴とする前記（４）記載の調律器。
【００１４】
（６）前記弦楽器本体に対して前記磁歪ロッドを略垂直方向に固定するための固定具を備えたことを特徴とする前記（１）乃至（５）のいずれかに記載の調律器。
【００１５】
（７）前記磁歪ロッドの軸方向に予荷重を印加するための予荷重ばねを備えたことを特徴とする前記（１）乃至（６）のいずれかに記載の調律器。
【００１６】
（８）前記磁歪部材は、超磁歪素子を材料とする超磁歪部材からなることを特徴とする前記（１）乃至（７）のいずれかに記載の調律器。
【発明の効果】
【００１７】
本発明に係る調律器によれば、作業性が良く、調律を簡易、且つ、迅速に行うことができる上に、調律精度を高めることができるという優れた効果を有する。
【発明を実施するための最良の形態】
【００１８】
本発明に係る調律器は、磁歪部材を備え、且つ、一端が質量部材に固定された略棒状体の磁歪ロッドと、該磁歪ロッドを軸方向に振動させるための駆動コイルと、該駆動コイルに電気信号を供給するための信号供給部と、を有してなり、前記信号供給部は、異なる基本周波数で振動する複数の弦を備えた弦楽器の少なくとも１本の弦の基本周波数によって前記電気信号を供給可能とされ、前記弦楽器本体を前記基本周波数で振動させることによって前記弦を共振可能に構成されていることによって、上記課題を解決したものである。
【００１９】
なお、本発明における「弦楽器」には、ギター、バンジョー等の撥弦楽器、バイオリン、ビオラ等の擦弦楽器、ピアノ等の打弦楽器が含まれる。又、本発明における「弦楽器本体」とは、弦を間接的に振動し得る部位を意味し、例えば、ギターの場合、ボディ以外のネックやヘッド等も含まれる。
【００２０】
以下、図面を用いて、本発明の実施形態に係る調律器について詳細に説明する。
【００２１】
図１に示されるように、本発明の実施形態に係る調律器１０は、略筒状のケーシング１２内に収容・固定された第１ヨーク（質量部材）１４と、この第１ヨーク１４に一端側が固定された、超磁歪部材からなる略棒状体の超磁歪ロッド１６と、この超磁歪ロッド１６の周囲を囲むように配設された駆動コイル１８及びバイアス磁石２０と、これら駆動コイル１８及びバイアス磁石２０を挟んで第１ヨーク１４の反対側に配設された第２ヨーク２２と、超磁歪ロッド１６の自由端側に配設された伝達ロッド２４と、駆動コイル１８に電気信号を供給するための信号供給部２６と、を有して構成されている。
【００２２】
超磁歪ロッド１６は、超磁歪素子を材料としている。ここで、「超磁歪素子」とは、希土類元素および／または特定の遷移金属などを主成分（例えば、テルビウム、ジスプロシウム、鉄など）とする粉末焼結合金あるいは単結晶合金から作られた磁歪素子をいい、外部から磁界が印加されると大きな変位（伸縮）を生じる性質を有している。
【００２３】
この超磁歪ロッド１６にはバイアス磁石２０によって軸方向のバイアス磁界が印加されていると共に、駆動コイル１８によって軸方向の磁界が変動可能な構造となっている。
【００２４】
伝達ロッド２４は、超磁歪ロッド１６の自由端側に位置する略円板状のフランジ部２４Ａと、このフランジ部２４Ａを基端として超磁歪ロッド１６の軸方向に沿って伸縮するロッド部２４Ｂと、によって構成されている。フランジ部２４Ａとケーシング１２との間には、皿ばね２７が縮設されており、伝達ロッド２４は超磁歪ロッド１６側に付勢されていると共に、超磁歪ロッド１６には伝達ロッド２４を介して軸方向の予荷重が印加されている。更に、ロッド部２４Ｂの先端部は、ケーシング１２外部に突出されており、超磁歪ロッド１６の軸方向の振動は、ロッド部２４Ｂを介して外部に伝達可能な構造となっている。
【００２５】
信号供給部２６は、異なる基本周波数で振動する複数の弦を備えた弦楽器の少なくとも１本の弦の基本周波数によって電気信号を供給可能で、本実施形態では、図２に示されるような６種類のギター開放弦の基本周波数、及び、図３に示されるような８種類（純正４種類、平均４種類）のバイオリン開放弦の基本周波数が供給可能となっている。
【００２６】
なお、この調律器１０は、図４〜図６に示されるように、バイオリン等の弦楽器ＳＩ本体に対して超磁歪ロッド１６を略垂直方向に固定するための固定具２８を備えている。この固定具２８は、調律器１０を下向きに保持しつつ、上下に移動自在な可動アーム３０と、弦楽器ＳＩを下側から支持する台座３２と、を有して構成されており、調律器１０の伝達ロッド２２と台座３２によって弦楽器ＳＩ本体を挟み込む構造となっている。又、固定具２８には、複数のボタン及びＬＥＤを備えた操作部３４と信号供給部２６が配設されている。
【００２７】
次に、この調律器１０の作用について説明する。
【００２８】
例えば、４本（Ｇ線、Ｄ線、Ａ線、Ｅ線）の弦を有するバイオリンのＧ線を規定の音程に調律する場合を考える。
【００２９】
まず、調律者は、操作部３４のボタンを押下し、Ｇ線の基本周波数を選択する。ボタンが押下されると、ボタン上部のＬＥＤが点灯すると共に、操作部３４の背面側に配設された信号供給部２６に、図示しない制御線を介して押下されたボタンの種類が通知される。
【００３０】
次に、通知を受けた信号供給部２６は、複数種類の基本周波数からＧ線の基本周波数を選択し、このＧ線の基本周波数によって電気信号を駆動コイル１８に供給する。駆動コイル１８に電気信号が供給されると、Ｇ線の基本周波数に応じて超磁歪ロッド１６に印加される磁界が変動する。その結果、磁歪効果によって超磁歪ロッド１６はＧ線の基本周波数で軸方向に振動し、この振動はバイオリン本体を介して各弦に伝達され、各弦はＧ線の基本周波数で振動することになる。
【００３１】
そして、Ｇ線が規定の音程に調律されている場合には、バイオリン本体の振動周波数とＧ線の基本周波数が一致する結果、Ｇ線が共振し、バイオリンが発音する。
【００３２】
一方、Ｇ線が規定の音程に調律されていない場合には、Ｇ線は共振せず、バイオリンは発音しない。従って、Ｇ線が共振し、バイオリンが発音するように弦の調整を行うことで、Ｇ線を規定の音程に調律することができる。なお、他のＤ線、Ａ線、Ｅ線についても同様の手順で調律を行うことができる。
【００３３】
本実施形態に係る調律器１０によれば、超磁歪部材を備え、且つ、一端が第１ヨーク１４（質量部材）に固定された略棒状体の超磁歪ロッド１６と、この超磁歪ロッド１６を軸方向に振動させるための駆動コイル１８と、この駆動コイル１８を駆動する電気信号を供給するための信号供給部２６と、を有してなり、信号供給部２６は、異なる基本周波数で振動する複数の弦を備えた弦楽器の少なくとも１本の弦の基本周波数によって電気信号を供給可能とされ、弦楽器本体を基本周波数で振動させることによって弦を共振可能に構成されているため、従来の調律器のように弦をピッキングすることなく弦楽器を発音することができ、作業性が良く、調律を簡易、且つ、迅速に行うことができる。しかも、磁歪素子は駆動力が大きく、大きな振動量を得ることができるため、弦を大きく振動させることができ、調律精度を高めることができる。
【００３４】
又、信号供給部２６は、複数種類の基本周波数から１つの基本周波数を選択可能に構成されているため、複数種類の弦楽器の調律に対応させることが容易で、利便性が高い。
【００３５】
更に、弦楽器本体に対して超磁歪ロッド１６を略垂直方向に固定するための固定具２８を備えたため、調律者が調律器１０を持ちながら調律を行う必要がなく、利便性が高い上に、調律器１０の振動を効率良く弦楽器に伝達することができる。
【００３６】
又、超磁歪ロッド１６の軸方向に予荷重を印加するための皿ばね（予荷重ばね）２７を備えているため、調律器１０の振動量を増大させることができ、より一層、調律精度を高めることができる。
【００３７】
なお、本発明に係る調律器は、本実施形態に係る調律器１０の構造や形状等に限定されるものではない。
【００３８】
例えば、本実施形態においては、信号供給部２６は、複数種類の基本周波数から１つの基本周波数を選択可能に構成されているが、本発明はこれに限定されるものではなく、信号供給部２６は、１つの基本周波数を複数種類の基本周波数から昇順又は降順に所定の周期で選択し、この選択された基本周波数に対応する電気信号を順次供給するように構成されていてもよい。この場合、調律者は周波数を手動で選択する必要がなくなり、調律作業の利便性を更に高めることができる。
【００３９】
又、調律器１０の振動量が十分得られる場合等には、超磁歪ロッド１６に代えて磁歪部材からなる磁歪ロッドを適用してもよく、又、超磁歪ロッド１６の軸方向に予荷重を印加しない構造としてもよい。
【００４０】
即ち、本発明に係る調律器は、磁歪部材を備え、且つ、一端が質量部材に固定された略棒状体の磁歪ロッドと、該磁歪ロッドを軸方向に振動させるための駆動コイルと、該駆動コイルに電気信号を供給するための信号供給部と、を有してなり、前記信号供給部は、異なる基本周波数で振動する複数の弦を備えた弦楽器の少なくとも１本の弦の基本周波数によって前記電気信号を供給可能とされ、前記弦楽器本体を前記基本周波数で振動させることによって前記弦を共振可能に構成されていればよい。
【図面の簡単な説明】
【００４１】
【図１】本発明の実施形態に係る調律器の略示側断面図
【図２】ギターの各弦の基本周波数を示す表
【図３】バイオリンの各弦の基本周波数を示す表
【図４】図１における調律器の固定具を示す略示斜視図
【図５】図４における固定具の略示側面図
【図６】図４における固定具の正面図
【符号の説明】
【００４２】
ＳＩ…弦楽器
１０…調律器
１２…ケーシング
１４…第１ヨーク
１６…超磁歪ロッド
１８…駆動コイル
２０…バイアス磁石
２２…第２ヨーク
２４…伝達ロッド
２６…信号供給部
２７…皿ばね
２８…固定具
３０…可動アーム
３２…台座
３４…操作部
【図１】
2005234365.tif 000003
【図２】
2005234365.tif 000004
【図３】
2005234365.tif 000005
【図４】
2005234365.tif 000006
【図５】
2005234365.tif 000007
【図６】
2005234365.tif 000008